(57)【特許請求の範囲】
【請求項１】
逆光検出方法であって、
チェックされる画像における各画像ブロックの輝度値を取得するステップと、
各画像ブロックの前記輝度値に従って、隣接画像ブロック間の輝度関係を決定するステップと、
前記隣接画像ブロック間の輝度関係に従って、前記チェックされる画像における暗領域および明領域を決定するステップと、
前記暗領域および前記明領域に従って、前記チェックされる画像が、逆光シナリオであるかどうかを決定するステップと、
を具備し、
前記チェックされる画像は、Ｍ行Ｎ列の画像ブロックを具備し、ＭとＮの双方は、正の整数であり、
各画像ブロックの前記輝度値に従って、前記隣接画像ブロック間の前記輝度関係を決定するステップは、
輝度値差と第１プリセット輝度しきい値間の大小関係に従って、チェックされる画像の各行における任意の２つの隣接画像ブロック間の輝度関係を決定するステップであって、前記輝度値差は、前記チェックされる画像の各行における前記任意の２つの隣接画像ブロックの差である、ステップと、及び／又は、
輝度値差と第１プリセット輝度しきい値間の大小関係に従って、前記チェックされる画像の各列における任意の２つの隣接画像ブロック間の輝度関係を決定するステップであって、前記輝度値差は、チェックされる画像の各列における前記任意の２つの隣接画像ブロックの差である、ステップと、
を具備し、
前記第１プリセット輝度しきい値は、前記チェックされる画像における前記任意の２つの隣接画像ブロック間の前記輝度値差の全ての絶対値の平均値であることを特徴とする逆光検出方法。
【請求項２】
輝度値差と第１プリセット輝度しきい値間の大小関係に従って、任意の２つの隣接画像ブロック間の輝度関係を決定するステップであって、前記輝度値差は、前記任意の２つの隣接画像ブロックの差である、前記ステップは、
前記任意の２つの隣接画像ブロック間の前記輝度値差が前記第１プリセット輝度しきい値より大きい場合には、前記任意の２つの隣接画像ブロックの１つの画像ブロックの輝度が他の画像ブロックの輝度よりも大きいと決定するステップと、又は、前記任意の２つの隣接画像ブロック間の輝度値差のが前記第１プリセット輝度しきい値以下の場合には、任意の２つの隣接画像ブロックは、同じ輝度を有すると判定するステップと、
を具備することを特徴とする請求項１に記載の方法。
【請求項３】
前記隣接画像ブロック間の前記輝度関係に従って、前記チェックされる画像における暗領域および明領域を決定するステップは、
前記任意の２つの隣接画像ブロックの一方の画像ブロックの輝度が、他方の画像ブロックの輝度より小さく、かつ、該小さい輝度値の前記画像ブロックの輝度値が、第２プリセット輝度しきい値より小さければ、前記小さい輝度値側の前記画像ブロックを前記暗領域と判定するステップと、
前記任意の２つの隣接画像ブロックの一方の画像ブロックの前記輝度が、他方の画像ブロックの前記輝度よりも小さく、かつ、該小さい輝度値側の前記画像ブロックの前記輝度値が、前記第２プリセット輝度しきい値以上であれば、前記小さい輝度値側の前記画像ブロックを明暗遷移領域と判定するステップと、
前記任意の２つの隣接画像ブロックの一方の画像ブロックの前記輝度が、前記他方の画像ブロックの前記輝度より大きく、かつ、該大きい輝度値側の前記画像ブロックの輝度値が、第３プリセット輝度しきい値より大きければ、前記大きい輝度値側の前記画像ブロックを、前記明領域と判定するステップと、
前記任意の２つの隣接画像ブロックの一方の画像ブロックの前記輝度が、前記他方の画像ブロックの前記輝度より大きく、かつ、該大きい輝度値側の前記画像ブロックの前記輝度値が、前記第３プリセット輝度しきい値以下であれば、前記大きい輝度値側の前記画像ブロックを、前記明暗遷移領域と判定するステップと、
を具備することを特徴とする請求項１又は２に記載の方法。
【請求項４】
輝度値差と第１プリセット輝度しきい値との大小関係に従って、前記チェックされる画像の各行における任意の２つの隣接画像ブロック間の輝度関係を判定する前記ステップの前に、
前記輝度値差は、前記チェックされる画像の各行における前記任意の２つの隣接画像ブロックの差であり、
前記方法は、
前記チェックされる画像の各行における最初の画像ブロックから最後の画像ブロックまでのシーケンス内の各行における前記任意の２つの隣接画像ブロック間の前記輝度値差を取得するステップ、または、
前記チェックされる画像の各行における最後の画像ブロックから最初の画像ブロックまでのシーケンス内の各行における前記任意の２つの隣接画像ブロック間の前記輝度値差を取得するステップと、
をさらに具備し、
輝度値差と第１プリセット輝度しきい値との大小関係に従って、前記チェックされる画像の各列における任意の２つの隣接画像ブロック間の輝度関係を決定する前記ステップの前に、
前記輝度値差は、前記チェックされる画像の各列における前記任意の２つの隣接画像ブロックの差であり、
前記方法は、
前記チェックされる画像の各列における最初の画像ブロックから最後の画像ブロックまでのシーケンス内の各列における前記任意の２つの隣接画像ブロック間の前記輝度値差を取得するステップ、又は、
前記チェックされる画像の各列における最後の画像ブロックから最初の画像ブロックまでのシーケンス内の各列における前記任意の２つの隣接画像ブロック間の前記輝度値差を取得するステップと、
をさらに具備する
ことを特徴とする請求項１から３のいずれか一項に記載の方法。
【請求項５】
前記隣接画像ブロック間の輝度関係に従って、前記チェックされる画像における暗領域および明領域を決定する前記ステップは、
各行または各列における前記最初の画像ブロックから前記最後の画像ブロックまでの前記シーケンスと、各行または各列における前記最後の画像ブロックから前記最初の画像ブロックまでの前記シーケンスの双方において前記画像ブロックが前記明領域又は前記暗領域であると決定されたならば、各行又は各列における任意の画像ブロックに対して、前記画像ブロックを前記明領域又は前記暗領域として決定するステップ、または、
一方のシーケンスにおいて、前記画像ブロックは前記明領域であると決定され、他方のシーケンスにおいて前記暗領域であると決定されたならば、各行または各列における任意の画像ブロックに対して、前記画像ブロックを明暗遷移領域と決定するステップであって、前記一方のシーケンス及び前記他方のシーケンスは、各行又は各列における前記最初の画像ブロックから前記最後の画像ブロックまでの前記シーケンス、および、各行又は各列における前記最後の画像ブロックから前記最初の画像ブロックまでの前記シーケンスである、ステップ、又は
前記画像ブロックが一方のシーケンスにおいて前記暗領域又は前記明領域であり、他方のシーケンスにおいて前記明暗遷移領域であると決定されたならば、各行又は各列における任意の画像ブロックに対して、前記画像ブロックを前記暗領域又は前記明領域と決定するステップであって、前記一方のシーケンス及び前記他方のシーケンスは、各行又は各列における前記最初の画像ブロックから前記最後の画像ブロックまでの前記シーケンス、および、各行又は各列における前記最後の画像ブロックから前記最初の画像ブロックまでの前記シーケンスである、ステップと、
をさらに具備することを特徴とする請求項４に記載の方法。
【請求項６】
前記暗領域および前記明領域に従って、前記チェックされる画像が逆光シナリオであると決定する前記ステップは、
前記チェックされる画像における前記暗領域および前記明領域が、プリセット明暗関係に合致するならば、前記チェックされる画像は、前記逆光シナリオであると決定するステップを具備し、
前記プリセット明暗関係は、以下の条件：
前記暗領域の全領域対前記チェックされる画像の領域の比が、プリセット比より大きい、
前記暗領域の輝度値の平均値が、プリセット平均値より小さい、
前記明領域の輝度値の平均値と、前記暗領域の前記輝度値の前記平均値との差がプリセット差より大きい、
の任意の１つの条件又は多数の条件の組み合わせに合致することを特徴とする請求項４に記載の方法。
【請求項７】
前記暗領域および前記明領域に従って、前記チェックされる画像が、逆光シナリオであると決定する前記ステップの後に、
前記逆光シナリオの検証を実行するステップであって、前記チェックされる画像における前記暗領域内に含まれるピクセルの平均諧調度が、プリセット諧調度しきい値より大きいならば、前記チェックされる画像は、前記逆光シナリオと決定され、前記チェックされる画像における前記暗領域内に含まれるピクセルの前記平均諧調度が、前記プリセット諧調度しきい値未満ならば、前記チェックされる画像は、非逆光シナリオであると決定される、ステップ
をさらに具備することを特徴とする請求項１から６のいずれか一項に記載の方法。
【請求項８】
逆光検出デバイスであって、
チェックされる画像における各画像ブロックの輝度値を取得するように構成されている取得モジュールと、
各画像ブロックの前記輝度値に従って、隣接画像ブロック間の輝度関係を決定するように構成されている決定モジュールと、
前記隣接画像ブロック間の前記輝度関係に従って、前記チェックされる画像における暗領域および明領域を決定し、前記暗領域および前記明領域に従って、前記チェックされる画像が、逆光シナリオであるかどうかを決定するように構成されている処理モジュールと、
を具備し、
前記チェックされる画像は、Ｍ行Ｎ列の画像ブロックを備え、ＭとＮの双方は、正の整数であり、
前記決定モジュールは、
輝度値差と第１プリセット輝度しきい値との大小関係に従って、前記チェックされる画像の各行における任意の２つの隣接画像ブロック間の輝度関係を決定し、前記輝度値差は、前記チェックされる画像の各行における前記任意の２つの隣接画像ブロックの差であり、及び／又は
輝度値差と第１プリセット輝度しきい値との大小関係に従って、前記チェックされる画像の各列における任意の２つの隣接画像ブロック間の輝度関係を決定し、前記輝度値差は、チェックされる画像の各列における前記任意の２つの隣接画像ブロックの差である
ように特に構成されており、
前記第１プリセット輝度しきい値は、前記チェックされる画像における前記任意の２つの隣接画像ブロック間の前記輝度値差のすべての絶対値の平均値であることを特徴とする逆光検出デバイス。
【請求項９】
前記決定モジュールは、
前記任意の２つの隣接画像ブロック間の前記輝度値差が、前記第１プリセット輝度しきい値より大きければ、前記任意の２つの隣接画像ブロックの一方の画像ブロックの輝度は、他方の画像ブロックの輝度より大きいと決定し、又は、
前記任意の２つの隣接画像ブロック間の前記輝度値差の絶対値が前記第１プリセット輝度しきい値以下ならば、前記任意の２つの隣接画像ブロックは、同一の輝度を有していると決定する
ように特に構成されていることを特徴とする請求項８に記載のデバイス。
【請求項１０】
前記処理モジュールは、
前記任意の２つの隣接画像ブロックの一方の画像ブロックの輝度が、他方の画像ブロックの前記輝度より小さく、かつ、小さい輝度値側の前記画像ブロックの輝度値が、第２プリセット輝度しきい値より小さいならば、前記小さい輝度値側の前記画像ブロックは、前記暗領域であると決定し、
前記任意の２つの隣接画像ブロックの一方の画像ブロックの前記輝度が、前記他方の画像ブロックの前記輝度より小さく、かつ、前記小さい輝度値側の前記画像ブロックの前記輝度値が、前記第２プリセット輝度しきい値以上であるならば、前記小さい輝度値側の前記画像ブロックは、明暗遷移領域であると決定し、
前記任意の２つの隣接画像ブロックの一方の画像ブロックの前記輝度が、前記他方の画像ブロックの前記輝度より大きく、かつ、大きい輝度値側の前記画像ブロックの輝度値が、第３プリセット輝度しきい値より大きければ、前記大きい輝度値側の前記画像ブロックは、前記明領域であると決定し、
前記任意の２つの隣接画像ブロックの一方の画像ブロックの前記輝度が、前記他方の画像ブロックの前記輝度より大きく、かつ、前記大きい輝度値側の前記画像ブロックの前記輝度値が、前記第３プリセット輝度しきい値以下であるならば、前記大きい輝度値側の前記画像ブロックは、前記明暗遷移領域であると決定するように特に構成されていることを特徴とする請求項８または９に記載のデバイス。
【請求項１１】
前記決定モジュールは、
前記チェックされる画像の各行における最初の画像ブロックから最後の画像ブロックまでのシーケンス内の各行における前記任意の２つの隣接画像ブロック間の前記輝度値差を取得する、または、
前記チェックされる画像の各行における最後の画像ブロックから最初の画像ブロックまでのシーケンス内の各行における前記任意の２つの隣接画像ブロック間の前記輝度値差を取得し、
前記チェックされる画像の各列における最初の画像ブロックから最後の画像ブロックまでのシーケンス内の各列における前記任意の２つの隣接画像ブロック間の前記輝度値差を取得する、または、
前記チェックされる画像の各列における最後の画像ブロックから最初の画像ブロックまでのシーケンス内の各列における前記任意の２つの隣接画像ブロック間の前記輝度値差を取得するようにさらに構成されていることを特徴とする請求項８から１０のいずれか一項に記載のデバイス。
【請求項１２】
前記処理モジュールは、
各行又は各列における前記最初の画像ブロックから前記最後の画像ブロックまでの前記シーケンスと、各行又は各列における前記最後の画像ブロックから前記最初の画像ブロックまでの前記シーケンスの双方において、前記画像ブロックは前記明領域又は前記暗領域であると決定されたならば、各行又は各列における任意の画像ブロックに対して、前記画像ブロックを前記明領域又は前記暗領域と決定する、または、
前記画像ブロックが、一方のシーケンスにおいて前記明領域であり、かつ、他方のシーケンスにおいて前記暗領域であると決定されたならば、各行又は各列における任意の画像ブロックに対して、前記画像ブロックを明暗遷移領域と決定し、前記一方のシーケンスと前記他方のシーケンスは、各行又は各列における前記最初の画像ブロックから前記最後の画像ブロックまでの前記シーケンスと各行又は各列における前記最後の画像ブロックから前記最初の画像ブロックまでの前記シーケンスである、または、
一方のシーケンスにおいて前記画像ブロックは前記暗領域又は前記明領域であり、かつ、他方のシーケンスにおいて前記明暗遷移領域であると決定されたならば、各行又は各列における任意の画像ブロックに対して、前記画像ブロックを前記暗領域又は前記明領域と決定し、前記一方のシーケンスと前記他方のシーケンスは、各行又は各列における前記最初の画像ブロックから前記最後の画像ブロックまでの前記シーケンスと、各行又は各列における前記最後の画像ブロックから前記最初の画像ブロックまでの前記シーケンスである、
ようにさらに構成されていることを特徴とする請求項１１に記載のデバイス。
【請求項１３】
前記処理モジュールは、
前記チェックされる画像における前記暗領域および前記明領域が、プリセット明暗関係に合致するならば、前記チェックされる画像は、前記逆光シナリオであると決定されるように特に構成され、
前記プリセット明暗関係は、以下の条件：
前記暗領域の全領域対前記チェックされる画像の領域の比が、プリセット比より大きい、
前記暗領域の輝度値の平均値が、プリセット平均値より小さい、
前記明領域の輝度値の平均値と、前記暗領域の前記輝度値の平均値の差が、プリセット差より大きい、
の任意の１つの条件又は多数の条件の組み合わせに合致することを特徴とする請求項１１に記載のデバイス。
【請求項１４】
前記処理モジュールは、
前記逆光シナリオの検証を実行し、前記チェックされる画像における前記暗領域内に含まれるピクセルの平均諧調度が、プリセット諧調度しきい値より大きいならば、前記チェックされる画像は、前記逆光シナリオであると決定され、前記チェックされる画像における前記暗領域内に含まれるピクセルの前記平均諧調度が、前記プリセット諧調度しきい値より小さいならば、前記チェックされる画像は、非逆光シナリオであると決定されるようにさらに構成されることを特徴とする請求項８から１３のいずれか一項に記載のデバイス。
【発明の詳細な説明】
【技術分野】
【０００１】
本発明は情報技術分野に関連し、具体的には、逆光検出方法及びデバイスに関する。
【０００２】
この出願は２０１３年１月７日出願の中国特許出願第201310005069.9号「逆光検出方法及びデバイス」がその全体において参照により組み込まれている。
【背景技術】
【０００３】
デジタルカメラやビデオカメラなどの画像デバイスを使用した画像処理において、逆光写真は、通常、背景が過剰に明るくなり、本当に映したい被写体、すなわち対象物が過剰に暗くなるという結果となる。逆光検出は、インテリジェントシナリオ認識や、自動露出制御などのデジタルカメラやビデオカメラなどの画像装置の機能が広く適用可能である。
【０００４】
従来の逆光検出において、画像は、まず、複数の長方形ブロックに分割され、輝度しきい値未満の輝度値の連続長方形ブロックが検出され、条件に合致する長方形ブロックの数がカウントされる。もし前記長方形ブロックの総計がプリセットしきい値よりも大きく、色彩度分散(variance)がプリセット彩度しきい値よりも大きければ、その画像は、逆光シナリオであると判定される。
【０００５】
しかし、従来技術においては、逆光検出の精度が低い。
【発明の概要】
【課題を解決するための手段】
【０００６】
本発明の実施形態は、逆光検出の精度が改善される逆光検出方法及びデバイスが提供される。
【０００７】
第１の特徴によると、本発明の実施形態は、
チェックされる画像の各画像ブロックの輝度値を取得するステップと、
各画像ブロックの前記輝度値にしたがって隣接画像ブロック間の輝度関係を決定するステップと、
前記隣接画像ブロック間の輝度関係に従って、チェックされる画像の暗領域および明領域を決定するステップと、
前記暗領域および前記明領域に従って、前記チェックされる画像が逆光シナリオであるかどうかを判定するステップと、
を含む逆光検出方法を提供する。
【０００８】
前記第１の特徴に関連し、第１の可能な実装方法において、前記チェックされる画像は、M行N列の画像ブロックを含み、ＭとＮの双方は正の整数であり、各画像ブロックの前記輝度値に従って前記隣接画像ブロック間の輝度関係を決定するステップは、
輝度値差と、第１プリセット輝度しきい値との間の大小関係に従って、前記チェックされる画像の各行における任意の２つの隣接画像ブロック間の輝度関係を決定するステップであって、前記輝度値差は、前記チェックされる画像の各行における任意の２つの隣接画像ブロックの差である、ステップと、及び／又は、
輝度値差と、第１プリセット輝度しきい値との間の大小関係に従って、前記チェックされる画像の各列における任意の２つの隣接画像ブロック間の輝度関係を決定するステップであって、前記輝度値差は、前記チェックされる画像の各列における任意の２つの隣接画像ブロックの差である、ステップと、を含む。
【０００９】
前記第１の特徴の前記第１の可能な実装方法に関し、第２の可能な実装方法において、前記輝度値差と第１プリセット輝度しきい値間の大小関係に従って、任意の２つの隣接画像ブロック間の輝度関係を決定するステップであって、前記輝度値差は、前記任意の２つの隣接画像ブロックの差である、前記ステップは、前記任意の２つの隣接画像ブロック間の前記輝度値差が前記第１プリセット輝度しきい値より大きいならば、前記任意の２つの隣接画像ブロックの一方の画像ブロックの輝度は、前記他方の画像ブロックの輝度より大きいと決定するステップ、又は、前記任意の２つの隣接画像ブロック間の前記輝度値差の絶対値が、前記第１プリセット輝度しきい値以下であれば、前記任意の２つの隣接画像ブロックは、同じ輝度を有していると判定するステップを含む。
【００１０】
前記第１の特徴の前記第１の可能な実装方法、又は第２の可能な実装方法に関し、第３の可能な実装方法において、前記第１プリセット輝度しきい値は、前記チェックされる画像における前記任意の２つの隣接画像ブロック間の前記輝度値差の全ての絶対値の平均値である。
【００１１】
前記第１の特徴の前記第１から第３の可能な実装方法の任意の１つに関し、第４の可能な実装方法において、前記隣接画像ブロック間の前記輝度関係に従って、前記チェックされる画像における暗領域および明領域を決定する前記ステップは、
前記任意の２つの隣接画像ブロックの一方の画像ブロックの前記輝度が、前記他方の画像ブロックの前記輝度より小さく、かつ、小さい輝度値側の前記画像ブロックの輝度値が第２プリセット輝度しきい値より小さいならば、前記小さい輝度値側の前記画像ブロックを前記暗領域であると決定するステップと、
前記任意の２つの隣接画像ブロックの一方の画像ブロックの前記輝度が、前記他方の画像ブロックの前記輝度より小さく、かつ、前記小さい輝度値側の前記画像ブロックの前記輝度値が、前記第２プリセット輝度しきい値以上であれば、前記小さい輝度値側の前記画像ブロックを明暗遷移領域であると決定するステップと、
前記任意の２つの隣接画像ブロックの一方の画像ブロックの前記輝度が、前記他方の画像ブロックの前記輝度より大きく、かつ、大きい輝度値側の前記画像ブロックの輝度値が、第３プリセット輝度しきい値より大きければ、前記大きい輝度値側の前記画像ブロックを前記明領域であると決定するステップと、
前記任意の２つの隣接画像ブロックの一方の画像ブロックの前記輝度が、前記他方の画像ブロックの前記輝度より大きく、かつ、前記大きい輝度値側の前記画像ブロックの前記輝度値が、前記第３プリセット輝度値以下であれば、前記大きい輝度値側の前記画像ブロックを前記明暗遷移領域と決定するステップを含む。
【００１２】
前記第１の特徴の前記第１から第４の可能な実装方法の任意の１つに関し、第５の可能な実装方法において、輝度値差と第１プリセット輝度しきい値との間の大小関係にしたがって、前記チェックされる画像の各行における任意の２つの隣接画像ブロック間の輝度関係を決定するステップの前に、
前記輝度値差は、前記チェックされる画像の各行における前記任意の２つの隣接画像ブロックの差であり、前記方法は、
前記チェックされる画像の各行における最初の画像ブロックから最後の画像ブロックまでのシーケンス内の各行における前記任意の２つの隣接画像ブロック間の前記輝度値差を取得するステップ、または、
前記チェックされる画像の各行における最後の画像ブロックから最初の画像ブロックまでのシーケンス内の各行における前記任意の２つの隣接画像ブロック間の前記輝度値差を取得するステップと、
を更に含み、
輝度値差と第１プリセット輝度しきい値との大小関係に従って、前記チェックされる画像の各列における任意の２つの隣接画像ブロック間の輝度関係を決定する前記ステップの前に、
前記輝度値差は、前記チェックされる画像の各列における前記任意の２つの隣接画像ブロックの差であり、
前記方法は、
前記チェックされる画像の各列における最初の画像ブロックから最後の画像ブロックまでのシーケンス内の各列における前記任意の２つの隣接画像ブロック間の前記輝度値差を取得するステップ、または、
前記チェックされる画像の各列における最後の画像ブロックから最初の画像ブロックまでのシーケンス内の各列における前記任意の２つの隣接画像ブロック間の前記輝度値差を取得するステップと、
をさらに具備する。
【００１３】
前記第１の特徴の前記第５の可能な実装方法に関し、第６の可能な実装方法において、
前記隣接画像ブロック間の前記輝度関係に従って、前記チェックされる画像における暗領域および明領域を決定する前記ステップは、
各行または各列における前記最初の画像ブロックから前記最後の画像ブロックまでの前記シーケンスと、各行または各列における前記最後の画像ブロックから前記最初の画像ブロックまでの前記シーケンスの双方において前記画像ブロックが前記明領域又は前記暗領域であると決定されたならば、各行又は各列における任意の画像ブロックに対して、前記画像ブロックを前記明領域又は前記暗領域として決定するステップ、または、
一方のシーケンスにおいて、前記画像ブロックは前記明領域であると決定され、他方のシーケンスにおいて前記暗領域であると決定されたならば、各行または各列における任意の画像ブロックに対して、前記画像ブロックを前記明暗遷移領域と決定するステップであって、前記一方のシーケンス及び前記他方のシーケンスは、各行又は各列における前記最初の画像ブロックから前記最後の画像ブロックまでの前記シーケンス、および、各行又は各列における前記最後の画像ブロックから前記最初の画像ブロックまでの前記シーケンスである、ステップ、又は、
前記画像ブロックが一方のシーケンスにおいて前記暗領域又は前記明領域であり、他方のシーケンスにおいて前記明暗遷移領域であると決定されたならば、各行又は各列における任意の画像ブロックに対して、前記画像ブロックを前記暗領域又は前記明領域と決定するステップであって、前記一方のシーケンス及び前記他方のシーケンスは、各行又は各列における前記最初の画像ブロックから前記最後の画像ブロックまでの前記シーケンス、および、各行又は各列における前記最後の画像ブロックから前記最初の画像ブロックまでの前記シーケンスである、ステップと、
をさらに具備する。
【００１４】
前記第１の特徴の前記第６の可能な実装方法に関し、第７の可能な実装方法において、前記暗領域および前記明領域にしたがって前記チェックされる画像が逆光シナリオであるかどうかを判定する前記ステップは、
前記チェックされる画像における前記暗領域および前記明領域が、プリセット明暗関係に合致するならば、前記チェックされる画像は、前記逆光シナリオであると決定するステップを具備し、
前記プリセット明暗関係は、以下の条件：
前記暗領域の全領域対前記チェックされる画像の領域の比が、プリセット比より大きい、
前記暗領域の輝度値の平均値が、プリセット平均値より小さい、
前記明領域の輝度値の平均値と、前記暗領域の前記輝度値の平均値の差が、プリセット差より大きい、
の任意の１つの条件又は多数の条件の組み合わせに合致する。
【００１５】
前記第１の特徴の前記第１から第７の可能な実装方法の任意の１つに関し、第８の可能な実装方法において、
前記暗領域および前記明領域に従って、前記チェックされる画像が、逆光シナリオであるかどうかを決定する前記ステップの後に、
前記方法は、
前記逆光シナリオの検証を実行するステップであって、前記チェックされる画像における前記暗領域内に含まれるピクセルの平均諧調度が、プリセット諧調度しきい値より大きいならば、前記チェックされる画像は、前記逆光シナリオと決定され、前記チェックされる画像における前記暗領域内に含まれるピクセルの前記平均諧調度が、前記プリセット諧調度しきい値未満ならば、前記チェックされる画像は、非逆光シナリオであると決定されるステップをさらに具備する。
【００１６】
第２の特徴によると、本発明の実施形態は、逆光検出デバイスであって、
チェックされる画像における各画像ブロックの輝度値を取得するように構成されている取得モジュールと、
各画像ブロックの前記輝度値に従って、前記隣接画像ブロック間の輝度関係を決定するように構成されている決定モジュールと、
前記隣接画像ブロック間の前記輝度関係に従って、前記チェックされる画像における暗領域および明領域を決定し、前記暗領域および前記明領域に従って、前記チェックされる画像が、逆光シナリオであるかどうかを決定するように構成されている処理モジュールと、
を具備する。
【００１７】
前記第２の特徴に関連し、第１の可能な実装方法において、前記チェックされる画像は、Ｍ行Ｎ列の画像ブロックを備え、ＭとＮの双方は、正の整数であり、
前記決定モジュールは、
輝度値差と第１プリセット輝度しきい値との大小関係に従って、前記チェックされる画像の各行における任意の２つの隣接画像ブロック間の輝度関係を決定し、前記輝度値差は、前記チェックされる画像の各行における前記任意の２つの隣接画像ブロックの差であり、及び／又は
輝度値差と第１プリセット輝度しきい値との大小関係に従って、前記チェックされる画像の各列における任意の２つの隣接画像ブロック間の輝度関係を決定し、前記輝度値差は、前記チェックされる画像の各列における前記任意の２つの隣接画像ブロックの差であるように特に構成されている。
【００１８】
前記第２の特徴の第１の可能な実装方法に関し、第２の可能な実装方法において、前記判定モジュールは、
前記任意の２つの隣接画像ブロック間の前記輝度値差が、前記第１プリセット輝度しきい値より大きければ、前記任意の２つの隣接画像ブロックの一方の画像ブロックの輝度は、他方の画像ブロックの輝度より大きいと決定し、又は、
前記任意の２つの隣接画像ブロック間の前記輝度値差の絶対値が前記第１プリセット輝度しきい値以下ならば、前記任意の２つの隣接画像ブロックは、同一の輝度を有していると決定する
ように特に構成されている。
【００１９】
前記第２の特徴の第１の可能な実装方法または第２の可能な実装方法に関し、第３の可能な実装方法において、前記第１プリセット輝度しきい値は、前記チェックされる画像における前記任意の２つの隣接画像ブロック間の前記輝度値差のすべての絶対値の平均値である。
【００２０】
前記第２の特徴の前記第１から第３の可能な実装方法の任意の１つに関し、第４の可能な実装方法において、前記処理モジュールは、
前記任意の２つの隣接画像ブロックの一方の画像ブロックの前記輝度が、前記他の画像ブロックの前記輝度より小さく、かつ、小さい輝度値側の前記画像ブロックの輝度値が、第２プリセット輝度しきい値より小さいならば、前記小さい輝度値側の前記画像ブロックは、前記暗領域であると決定し、
前記任意の２つの隣接画像ブロックの一方の画像ブロックの前記輝度が、前記他方の画像ブロックの前記輝度より小さく、かつ、前記小さい輝度値側の前記画像ブロックの前記輝度値が、前記第２プリセット輝度しきい値以上であるならば、前記小さい輝度値側の前記画像ブロックは、明暗遷移領域であると決定し、
前記任意の２つの隣接画像ブロックの一方の画像ブロックの前記輝度が、前記他方の画像ブロックの前記輝度より大きく、かつ、大きい輝度値側の前記画像ブロックの輝度値が、第３プリセット輝度しきい値より大きければ、前記大きい輝度値側の前記画像ブロックは、前記明領域であると決定し、
前記任意の２つの隣接画像ブロックの一方の画像ブロックの前記輝度が、前記他方の画像ブロックの前記輝度より大きく、かつ、前記大きい輝度値側の前記画像ブロックの前記輝度値が、前記第３プリセット輝度値以下であるならば、前記大きい輝度値側の前記画像ブロックは、前記明暗遷移領域であると決定するように特に構成されている。
【００２１】
前記第２の特徴の前記第１から第４の可能な実装方法の任意の１つに関し、第５の可能な実装方法において、前記決定モジュールは、
前記チェックされる画像の各行における最初の画像ブロックから最後の画像ブロックまでのシーケンス内の各行における前記任意の２つの隣接画像ブロック間の前記輝度値差を取得する、または、
前記チェックされる画像の各行における最後の画像ブロックから最初の画像ブロックまでのシーケンス内の各行における前記任意の２つの隣接画像ブロック間の前記輝度値差を取得し、
前記チェックされる画像の各列における最初の画像ブロックから最後の画像ブロックまでのシーケンス内の各列における前記任意の２つの隣接画像ブロック間の前記輝度値差を取得する、または、
前記チェックされる画像の各列における最後の画像ブロックから最初の画像ブロックまでのシーケンス内の各列における前記任意の２つの隣接画像ブロック間の前記輝度値差を取得するようにさらに構成されている。
【００２２】
前記第２の特徴の前記第５の可能な実装方法に関し、第６の可能な実装方法において、前記処理モジュールは、
各行又は各列における前記最初の画像ブロックから前記最後の画像ブロックまでの前記シーケンスと、各行又は各列における前記最後の画像ブロックから前記最初の画像ブロックまでの前記シーケンスの双方において、前記画像ブロックは前記明領域又は前記暗領域であると決定されたならば、各行又は各列における任意の画像ブロックに対して、前記画像ブロックを前記明領域又は前記暗領域と決定する、または、
前記画像ブロックが、一方のシーケンスにおいて前記明領域であり、かつ、他方のシーケンスにおいて前記暗領域であると決定されたならば、各行又は各列における任意の画像ブロックに対して、前記画像ブロックを前記明暗遷移領域と決定し、前記一方のシーケンスと前記他方のシーケンスは、各行又は各列における前記最初の画像ブロックから前記最後の画像ブロックまでの前記シーケンスと各行又は各列における前記最後の画像ブロックから前記最初の画像ブロックまでの前記シーケンスである、または、
一方のシーケンスにおいて前記画像ブロックは前記暗領域又は前記明領域であり、かつ、他方のシーケンスにおいて前記明暗遷移領域であると決定されたならば、各行又は各列における任意の画像ブロックに対して、前記画像ブロックを前記暗領域又は前記明領域と決定し、前記一方のシーケンスと前記他方のシーケンスは、各行又は各列における前記最初の画像ブロックから前記最後の画像ブロックまでの前記シーケンスと、各行又は各列における前記最後の画像ブロックから前記最初の画像ブロックまでの前記シーケンスである、
ようにさらに構成されている。
【００２３】
前記第２の特徴の前記第６の可能な実装方法に関し、第７の可能な実装方法において、前記処理モジュールは、
前記チェックされる画像における前記暗領域および前記明領域が、プリセット明暗関係に合致するならば、前記チェックされる画像は、前記逆光シナリオであると決定されるように特に構成され、
前記プリセット明暗関係は、以下の条件：
前記暗領域の全領域対前記チェックされる画像の領域の比が、プリセット比より大きい、
前記暗領域の輝度値の平均値が、プリセット平均値より小さい、
前記明領域の輝度値の平均値と、前記暗領域の前記輝度値の平均値の差が、プリセット差より大きい、
の任意の１つの条件又は多数の条件の組み合わせに合致する。
【００２４】
前記第２の特徴の前記第１から第７の可能な実装方法の任意の１つに関し、第８の可能な実装方法において、前記処理モジュールは、
前記逆光シナリオの検証を実行し、前記チェックされる画像における前記暗領域内に含まれるピクセルの平均諧調度が、プリセット諧調度しきい値より大きいならば、前記チェックされる画像は、前記逆光シナリオであると決定され、前記チェックされる画像における前記暗領域内に含まれるピクセルの前記平均諧調度が、前記プリセット諧調度しきい値より小さいならば、前記チェックされる画像は、非逆光シナリオであると決定されるようにさらに構成される
【００２５】
第３の特徴によると、本発明の実施形態は、逆光検出デバイスであって、
プロセッサと、
メモリと、
を具備し、
前記メモリは、実行命令を格納し、
前記逆光検出デバイスが作動すると、前記プロセッサは、前記メモリと通信し、前記プロセッサは、前記逆光検出デバイスが、前記第１の特徴及び、前記第１の特徴の第１から第８の可能な実施方法の任意の１つに従う方法を実行するように、前記実行命令を実行する。
【００２６】
本発明の実施形態により提供される逆光検出方法及びデバイスによると、この方法において、チェックされる画像における各画像ブロックの輝度値が取得され、各画像ブロックの前記輝度値にしたがって、前記隣接画像ブロック間の輝度関係が決定され、前記隣接画像ブロック間の前記輝度関係にしたがって、前記チェックされる画像内の暗領域および明領域が決定され、前記暗領域および前記明領域にしたがって、前記チェックされる画像が逆光シナリオであるかどうかが判定され、逆光シナリオ検出の制度が改善される。
【００２７】
本発明の実施形態におけるまたは従来技術における技術的解決策をより明確に説明するために、以下で実施形態または従来技術を説明するために必要な添付の図面について簡単に紹介する。以下の説明における添付の図面は本発明のいくつかの実施形態を示すものにすぎず、それでもなお、当業者が創造的な努力なしにこれらの添付の図面から他の図面を得ることができることは明らかである。
【図面の簡単な説明】
【００２８】
【図１】本発明による逆光検出方法の実施形態１のフローチャートである。
【図２】本発明による逆光検出方法の実施形態２における各画像ブロックの輝度値の略図である。
【図３Ａ】本発明による逆光検出方法の実施形態２における行方向に沿った明領域及び暗領域の略図である。
【図３Ｂ】本発明による逆光検出方法の実施形態２における行方向に沿った明領域及び暗領域の略図である。
【図３Ｃ】本発明による逆光検出方法の実施形態２における列方向に沿った明領域及び暗領域の略図である。
【図３Ｄ】本発明による逆光検出方法の実施形態２における列方向に沿った明領域及び暗領域の略図である。
【図４】本発明による逆光検出方法の実施形態２における明領域及び暗領域の略図である。
【図５Ａ】本発明による逆光検出方法の実施形態２における非逆光シナリオの略図である。
【図５Ｂ】本発明による逆光検出方法の実施形態２における非逆光シナリオの略図である。
【図６】本発明による逆光検出デバイスの実施形態１における構造略図である。
【図７】本発明による逆光検出デバイスの実施形態２における構造略図である。
【発明を実施するための形態】
【００２９】
本発明の実施形態の目的、技術的解決策、及び利点を明確にするために、以下において、本発明の実施形態における技術的解決策が、本発明の実施形態における図面を参照しながら明確に完全に説明される。説明されている実施形態は、本発明の実施形態のすべてでなく一部であることは明らかである。創造的努力なしに、本発明の実施形態に基づいて当業者により得られる他の全ての実施形態は、本発明の保護範囲に含まれる。
【００３０】
図１は、本発明による逆光検出方法の実施形態１のフローチャートである。この実施形態では、逆光検出方法を提供する。前記方法は、前記逆光検出方法を実行する任意のデバイスにより実行し得え、また前記デバイスは、ソフトウェア及び／又はハードウェアにより実現し得る。前記デバイスは、具体的には、画像機能を備えた、携帯電話、ビデオカメラ、又はカメラといった端末デバイスであってよいが、この実施形態はそれらに限定されるものではない。図１に示されているように、この実施形態における方法は、以下を具備する。
【００３１】
ステップ１０１：チェックされる画像における各画像ブロックの輝度値を取得する。
【００３２】
具体的な実施プロセスにおいて、前記チェックされる画像は、一般に、Ｍ×Ｎの画像ブロックに均等に分割し得、画像ブロックの輝度を計算するさまざまな既存の方法が、各画像ブロックの前記輝度の掲載に使用され得る。ＭとＮの双方とも正の整数であり、輝度値は、特定の値の範囲内から選択され得る。例えば、値の範囲は、０から２５５であり、中間輝度値は１２８である。Ｌijは、i番目の行、j番目の列に対応する画像ブロックを示し、前記Ｌijの値は、前記画像ブロックＬijの輝度値を示し、１≦i≦Ｍ、１≦j≦Ｎである。
【００３３】
ステップ１０２：各画像ブロックの前記輝度値にしたがって、前記隣接画像ブロック間の輝度関係を決定する。
【００３４】
実際のアプリケーション処理において、前記チェックされる画像は、Ｍ行Ｎ列であり、それゆえ、各画像ブロックの前記輝度値に従って、前記隣接画像ブロック間の前記輝度関係を決定する前記ステップは、下記の２つの可能な実施方法を具体的に含んでもよい。
【００３５】
１つ目の可能な実施方法において、前記隣接画像ブロック間の前記輝度関係は、前記チェックされる画像の行に従って決定される。具体的には、前記チェックされる画像の各行における任意の２つの隣接画像ブロック間の輝度関係は、輝度値差と第１プリセット輝度しきい値の大小関係に従って決定され、前記輝度値差は、前記チェックされる画像の各行における前記任意の２つの隣接画像ブロックの差である。
【００３６】
他の可能な実施方法において、前記隣接画像ブロック間の前記輝度関係は、前記チェックされる画像の列に従って決定される。具体的には、前記チェックされる画像の各列における任意の２つの隣接画像ブロック間の輝度関係は、輝度値差と第１プリセット輝度しきい値の大小関係に従って決定され、前記輝度値差は、前記チェックされる画像の各列における前記任意の２つの隣接画像ブロックの差である。
【００３７】
先の２つの可能な実施方法において、前記隣接画像ブロック間の前記輝度関係は、前記チェックされる画像の行のみに従って決定しても、前記チェックされる画像の列のみに従って決定してもよいことは、当業者であれば理解し得る。前記隣接画像ブロック間の前記輝度関係は、行又は列様式において決定されるが、行及び列の双方に従って決定してもよい。前記第１プリセット輝度しきい値は、経験に従って決定され得るが、隣接画像ブロック間の輝度値差の平均値に従って決定されてもよい。この実施形態は、前記第１プリセット輝度しきい値の特定の値で特別な限定を意味するものではない。
【００３８】
この実施形態に提供される前記逆光検出方法において、任意の２つの隣接画像ブロック間の前記輝度関係は、前記チェックされる画像の行及び／又は列に従って決定される。この方法において、前記チェックされる画像における前記隣接画像ブロック間の前記輝度関係は、高精度の逆光検出を実現する、複数の角度から決定され得る。
【００３９】
特に、前記隣接画像ブロック間の前記輝度関係は、３つの場合を含んでいる。i番目の行が例として使用され、前記隣接画像ブロックＬijとＬij+1が例として使用される。前記３つの場合とは以下のものである：前記画像ブロックＬij+1の輝度は、前記画像ブロックＬijの輝度より小さい、または、前記画像ブロックＬij+1の輝度は、前記画像ブロックＬijの輝度より大きい、または、前記画像ブロックＬij+1の輝度は、前記画像ブロックＬijの輝度と等しい。注目すべきは、行における前記画像ブロックＬijと前記画像ブロックＬij+1間の特定の位置関係であるが、前記画像ブロックＬijと前記画像ブロックＬij+1がどこに位置するかはここでは限定していない。前記画像ブロックＬijは、前記画像ブロックＬijと前記画像ブロックＬij+1が位置する前記行における最初の画像ブロックの近くか、又は、前記画像ブロックＬijと前記画像ブロックＬij+1が位置する前記行における前記最初の画像ブロックであってよく、そして、前記画像ブロックＬij+1は、前記画像ブロックＬijと前記画像ブロックＬij+1が位置する前記行における前記最初の画像ブロックの近くか、前記画像ブロックＬijと前記画像ブロックＬij+1が位置する前記行における前記最初の画像ブロックであってよい。
【００４０】
ステップ１０３：前記チェックされる画像における暗領域(dark region)と明領域(bright region)を前記隣接画像ブロック間の前記輝度関係にしたがって決定し、前記暗領域および前記明領域に従って、前記チェックされる画像が逆光シナリオであるかどうかを決定する。
【００４１】
実際のアプリケーションプロセスにおいて、前記チェックされる画像における前記暗領域および前記明領域は、前記隣接画像ブロック間の前記輝度関係に従って決定され得る。具体的な実施プロセスにおいて、前記画像ブロックＬij+1の前記輝度が前記画像ブロックＬijの前記輝度より小さく、かつ、前記画像ブロックＬij+1の前記輝度が第２プリセット輝度しきい値より小さい場合には、前記画像ブロックＬij+1は前記暗領域であり、前記画像ブロックＬij+1の前記輝度が前記第２プリセット輝度しきい値より大きい場合には、前記画像ブロックＬij+1は、明暗遷移領域である。前記画像ブロックＬij+1の前記輝度が前記画像ブロックＬijの前記輝度より大きく、かつ、前記画像ブロックＬij+1の前記輝度が第３プリセット輝度しきい値より大きい場合には、前記画像ブロックＬij+1は前記明領域であり、前記画像ブロックＬij+1の前記輝度が前記第３プリセット輝度しきい値より小さい場合には、前記画像ブロックＬij+1は前記明暗遷移領域である。
【００４２】
当業者であれば、前記第２プリセット輝度しきい値を使用することは、非常に大きな輝度値を備えた画像ブロックを暗領域と決定することを避け得、また、前記第３プリセット輝度しきい値を使用することは、非情に小さな輝度値を備えた画像ブロックを前記明領域であると決定することを避け得ることを理解し得る。前記第２プリセット輝度しきい値と前記第３プリセット輝度しきい値は、経験的な値(empirical value)に従って選択され得、値の範囲は、比較的大きく、柔軟である。一般に、前記第２プリセット輝度しきい値の値は、前記中間輝度値より小さく、かつ、前記第３プリセット輝度しきい値の値は、前記中間輝度値より大きい。
【００４３】
前記チェックされる画像における前記暗領域および前記明領域が決定された後、前記暗領域および前記明領域に従って、前記チェックされる画像が前記逆光シナリオかどうかを決定する。具体的には、前記チェックされる画像における前記暗領域および前記明領域がプリセット明暗関係に合致するならば、前記チェックされる画像は、前記逆光シナリオであると決定される。前記プリセット明暗関係は、以下の状態：
前記暗領域の全領域の前記チェックされる画像の領域に対する比がプリセット比よりも大きい。
前記暗領域の輝度値の平均値がプリセット平均値より小さい。
前記明領域の輝度値の平均値と前記暗領域の前記輝度値の前記平均値との間の差が、プリセット差より大きい。
の任意の一つの状態、またはの複数の状態の組み合わせに合致する。
【００４４】
本願発明の実施形態により提供される逆光検出方法によると、チェックされる画像における各画像ブロックの輝度値が取得され、前記隣接画像ブロック間の輝度関係が、各画像ブロックの前記輝度値に従って決定され、そして前記チェックされる画像における暗領域及び明領域が前記隣接画像ブロック間の前記輝度関係に従って決定され、前記暗領域および前記明領域に従って、前記チェックされる画像が逆光シナリオかどうかを決定する。これは、被写体の逆光度がかなり変化する場合の逆光シナリオ検出の精度を改善するのみならず、被写体の位置、場所、形状、等がかなり変化する場合の逆光シナリオ検出の精度を改善する。
【００４５】
以下では、例として特定の実施形態を使用することにより本願発明の実施形態を詳細に説明する。
【００４６】
図２は、本発明による逆光検出方法の実施形態２における各画像ブロックの輝度値の概略図である。図２に示されているように、チェックされる画像は、まず１１行２０列に分割され、全部で11×20の画像ブロックとなり、その後、各画像ブロックの輝度値が判定される。当業者であれば、理解し得るが、説明を容易にするため、各画像ブロックの前記輝度値が、各画像ブロック内に示されている。
【００４７】
各画像ブロックの前記輝度値が得られた後、任意の２つの隣接画像ブロック間の輝度値差が取得される。具体的には、前記任意の２つの隣接画像ブロック間の前記輝度値差は、行方向に沿って取得されてもよく、また列方向に沿って取得されてもよく、以下において別個に説明されている。
【００４８】
前記行方向に沿って、つまり、前記チェックされる画像の各行内の最初の画像ブロックから最後の画像ブロックまでのシーケンスにおいて、すなわち、各行における任意の２つの隣接画像ブロック間の輝度値差が、左から右のシーケンスにおいて取得され、前記チェックされる画像の各行内の前記最後の画像ブロックから前記最初の画像ブロックまでのシーケンスにおいて、すなわち、各行における前記任意の２つの隣接画像ブロック間の前記輝度値差が、右から左のシーケンスにおいて取得される。前記左から右のシーケンスがこの実施形態において一例として使用される。すなわち、図２の水平矢印で示されているｊ方向に沿って、i番目の行における任意の２つの隣接画像ブロック間の輝度値差が取得される。すなわち、Ｌij+1とＬijとの間の差が取得される。前記画像ブロックＬijと前記画像ブロックＬij+1が配置されている行におけるの前記画像ブロックＬijと前記画像ブロックＬij+1間の特定の位置関係は、限定されるものではない。前記画像ブロックＬijは、前記画像ブロックＬijと前記画像ブロックＬij+1が配置されている前記行における最初の画像ブロックの近くか、又は、前記画像ブロックＬijと前記画像ブロックＬij+1が配置されている前記行における前記最初の画像ブロックであってよい。前記画像ブロックＬij+1は、前記画像ブロックＬijと前記画像ブロックＬij+1が配置されている前記行における前記最初の画像ブロックの近くか、又は、前記画像ブロックＬijと前記画像ブロックＬij+1が配置されている前記行における前記最初の画像ブロックであってよい。
【００４９】
前記列方向に沿って、すなわち、前記チェックされる画像の各列における最初の画像ブロックから最後の画像ブロックまでのシーケンスにおいて、すなわち、各列における任意の２つの隣接画像ブロック間の輝度値差が、上から下のシーケンスにおいて取得され、また、前記チェックされる画像の各列内の前記最後の画像ブロックから前記最初の画像ブロックまでのシーケンスにおいて、各列における前記任意の２つの隣接画像ブロック間の前記輝度値差が下から上のシーケンスにおいて取得される。この実施形態においては、前記上から下のシーケンスが一例として使用されている。すなわち、図２において垂直矢印でしめされているi方向に沿って、j番目の列における任意の２つの隣接画像ブロック間の輝度値差、すなわち、Lij+1とＬij間の差が取得される。
【００５０】
その後、前記輝度値差と第１プリセット輝度しきい値との間の大小関係に従って前記チェックされる画像の各行における任意の２つの隣接画像ブロック間の輝度関係が決定され、前記輝度値差は、前記チェックされる画像の各行における前記任意の２つの隣接画像ブロック間の差である。前記チェックされる画像の各列における任意の２つの隣接画像ブロック間の輝度関係が輝度値差と前記第１プリセット輝度しきい値との間の大小関係にしたがって決定され、前記輝度値差は、前記チェックされる画像の各列における前記任意の２つの隣接画像ブロック間の差である。前記第１プリセット輝度しきい値は、前記チェックされる画像における前記任意の２つの隣接画像ブロック間の前記輝度値差のすべての絶対値の平均値である。
【００５１】
当業者であれば、行に従って、前記任意の２つの隣接画像ブロック間の前記輝度関係を決定する方法は、列に従うものと類似することは理解しうる。したがって、この実施形態において行方法が一例として使用されている。さらに、前記行方向の場合において、前記チェックされる画像の各行における前記最初の画像ブロックから前記最後の画像ブロックまでの前記シーケンス内の前記任意の２つの隣接画像ブロック間の前記輝度関係を決定する方法は、前記チェックされる画像の各行における前記最後の画像ブロックから前記最初の画像ブロックまでの前記シーケンス内のそれに類似する。したがって、前記任意の２つの隣接画像ブロック間の前記輝度関係の決定について詳細に説明するために、前記チェックされる画像の各行における前記最初の画像ブロックから前記最後の画像ブロックまでの前記シーケンスが、本発明の実施形態において一例として使用されている。
【００５２】
前記チェックされる画像の各行における前記最初の画像ブロックから前記最後の画像ブロックまでの前記シーケンス内で前記任意の２つの隣接画像ブロック間の前記輝度関係が決定さた場合、前記第１プリセット輝度しきい値ΔLは、
【００５３】
【数１】
0005988119.tif 000002
【００５４】
と等しい。図２に示されている各画像ブロックの前記輝度値に従って、計算により、前記第１プリセット輝度しきい値ΔLは、34と等しいことが得られる。前記画像ブロックＬij+1と前記画像ブロックＬijとの間の前記輝度関係は、差とΔL間の大小関係に従って決定され、前記差は、前記画像ブロックＬij+1と前記画像ブロックＬijとの間の差である。当業者であれば、チェックされる異なる画像の前記第１プリセット輝度しきい値ΔLの値は、異なることは、理解し得る。前記任意の２つの隣接画像ブロック間の前記輝度関係が、前記チェックされる画像の各列における前記最初の画像ブロックから前記最後の画像ブロックまでの前記シーケンス内で決定される場合、前記第１プリセット輝度しきい値ΔLの前記値は、再計算する必要がある。
【００５５】
Ｌij+1-Ｌij>ΔLであった場合、Ｌij<Ｌij+1、すなわち、前記画像ブロックＬij+1の輝度は、前記画像ブロックＬijの輝度より大きく、
【００５６】
【数２】
0005988119.tif 000003
【００５７】
であった場合、Ｌij=Ｌij+1、すなわち、前記画像ブロックＬij+1の前記輝度は、前記画像ブロックＬijの前記輝度に等しく、Ｌij+1-Ｌij<ΔLであった場合、Ｌij>Ｌij+1、すなわち、前記画像ブロックＬij+1の前記輝度は、前記画像ブロックＬijの前記輝度より小さい。
【００５８】
その後、前記隣接画像ブロック間の前記輝度関係に従って、前記チェックされる画像における暗領域及び明領域が決定される。前記行シーケンスは、ここでも一例として使用されている。前記列シーケンスのための詳細な説明は、前記行シーケンスと同様に、ここでは記載していない。
【００５９】
この実施形態において、図２に示されている４番行の最初の９列における画像ブロックが使用されている。表１は、前記Ｌijと前記Ｌij+1-Ｌijの対応する値を示している。
【００６０】
【表１】
0005988119.tif 000004
【００６１】
この実施形態において、非常に大きな輝度値を備えた画像ブロックを前記暗領域と判定するのを避けるために使用され得る第２プリセット輝度しきい値Ldarkは、１２０にセットされ、非常に小さい輝度値を備えた画像ブロックを前記明領域と決定するのを避けるために使用される第３プリセット輝度しきい値Llightは、１３０にセットされている。この実施形態において、前記チェックされる画像における前記暗領域および前記明領域が決定された後、前記暗領域および前記明領域がマークされ得る。前記明領域又は前記暗領域と判定することができない明暗遷移領域又は画像ブロックでは、マーキングは実行されない。前記チェックされる画像における前記暗領域および前記明領域のマーキングの処理において、前記暗領域は、白丸の点でマークされ、そして前記明領域は、黒の×印でマークされている。
【００６２】
表１に従うと、L42-L41=-68<-34が分かり、L42は、前記Ldarkより小さい。これは、L42が前記暗領域であることを示しており、前記画像ブロックＬ42がマークされる。前記画像ブロックＬ41の場合には、前記４番行における前記最初の画像ブロックであるため、比較に利用するのための画像ブロックはない。その結果として、前記画像ブロックＬ41は、明又は暗のどちらであるか決定できず、前記画像ブロックＬ41は、マークされない。
【００６３】
以下は、各画像ブロックを前記暗領域又は前記明領域と決定することの簡単な図である。具体的なマーキングは、図３Ａを参照。図３Ａは、本発明による逆光検出方法の実施形態２における行方向に沿った明領域及び暗領域の概略図である。
【００６４】
【数３】
0005988119.tif 000005
【００６５】
なので、前記L43の輝度は、前記L42のそれと同じであり、前記L43は、前記暗領域である。
L44-L43=61>34であり、前記L44が前記Llightより大きいので、前記L44は、前記明領域である。
L45-L44=-101<-34であり、前記L45が前記Ldarkより小さいので、前記L45は、前記暗領域である。
【００６６】
【数４】
0005988119.tif 000006
【００６７】
なので、前記L46の輝度は、前記L45のそれと同じであり、前記L46は、前記暗領域である。
【００６８】
【数５】
0005988119.tif 000007
【００６９】
なので、前記L47の輝度は、前記L46のそれと同じであり、前記L47は、前記暗領域である。
L48-L47=81>34であるが、前記L48は、前記Llightより小さいので、前記L48は、前記明暗遷移領域である。
L49-L48=121>34であり、前記L49は、前記Llightより大きいので、前記L49は、前記明領域である。
【００７０】
図３Ｂは、本発明による逆光検出方法の実施形態２における行方向に沿った明領域及び暗領域の概略図２である。図３Ｂにおける前記行方向は、図３Ａにおける前記行方向とは反対である。図３Ｃは、本発明による逆光検出方法の実施形態２における列方向に沿った、すなわち、上から下への列に沿ったシーケンスにおける明領域及び暗領域の概略図１である。図３Ｄは、本発明による逆光検出方法の実施形態２における列方向に沿った、すなわち、列に沿って下から上へのシーケンスにおける、明領域及び暗領域の概略図２である。図３Ｂから図３Ｄは、図３Ａと同様の方法により得られたものであり、この実施形態においてここでは詳細には再び説明しない。
【００７１】
図３Ａから図３Ｄが得られたのち、図３Ａから図３Ｄは、図４の形式でマージされ、前記チェックされる画像における最終暗領域及び最終明領域が取得される。図４は、本発明による逆光検出方法の実施形態２における明領域及び暗領域の概略図１である。具体的な実施プロセスでは、まず、前記行方向に沿った前記チェックされる画像における前記暗領域および前記明領域が、図３Ａと図３Ｂに従って決定され、前記列方向に沿った前記チェックされる画像における前記暗領域および前記明領域が、図３Ｃと図３Ｄに従って決定される。その後、チェックされる画像における前記最終暗領域及び前記最終明領域が図３Ａと図３Ｂの判定結果及び図３Ｃと図３Ｄの判定結果に従って決定される。好適には、図３及び図３Ｂ，又は、図３Ｃ及び図３Ｄに従って、前記チェックされる画像における前記暗領域および前記明領域を決定するための決定原則、又は、図３Ａ及び図３Ｂの前記決定結果と図３Ｃ及び図３Ｄの前記判定結果は、以下の通り：
各行又は各列における前記最初の画像ブロックから前記最後の画像ブロックまでの前記シーケンスと、各行又は各列における前記最後の画像ブロックから前記最初の画像ブロックまでの前記シーケンスの両方において、前記画像ブロックが前記明領域又は前記暗領域と判定される場合、各行又は各列における任意の画像ブロックに対し、前記画像ブロックを前記明領域又は前記暗領域と決定する、又は、
前記画像ブロックが、一方のシーケンスにおいて前記明領域と決定され、他方のシーケンスにおいて前記暗領域と判定された場合、各行又は各列における任意の画像ブロックに対し、前記画像ブロックを前記明暗遷移領域と決定する。前記一方のシーケンス及び前記他方のシーケンスは、各行又は各列における前記最初の画像ブロックから前記最後の画像ブロックまでの前記シーケンスと、各行又は各列における前記最後の画像ブロックから前記最初の画像ブロックまでの前記シーケンスである、又は、
前記画像ブロックが、一方のシーケンスにおいて前記暗領域又は前記明領域と決定され、他方のシーケンスにおいて前記明暗遷移領域と判定される場合、各行又は各列における任意の画像ブロックに対し、前記画像ブロックを前記暗領域又は前記明領域と決定する。前記一方のシーケンス及び前記他方のシーケンスは、各行又は各列における前記最初の画像ブロックから前記最後の画像ブロックまでの前記シーケンスと、各行又は各列における前記最後の画像ブロックから前記最初の画像ブロックまでの前記シーケンスである。
【００７２】
前述の原則に従って、前記チェックされる画像における前記明領域及び前記暗領域を決定することにより、すべての画像ブロックの明暗関係が包括的に考慮でき、前記明領域と前記チェックされる画像の暗部が修正可能となり、逆光検出の精度を改善する。
【００７３】
前述の方法に従って得られた図４は、本発明の実施形態における前記チェックされる画像における前記最終暗領域及び前記最終明領域である。図４に示される前記暗領域および前記明領域に従って、前記チェックされる画像が逆光シナリオかどうかが決定される。前記チェックされる画像における前記暗領域および前記明領域がプリセット明暗関係を満たす場合、前記チェックされる画像が前記逆光シナリオであると決定される。前記プリセット明暗関係が以下の条件：
前記暗領域の全領域と前記チェックされる画像の領域との比が、プリセット比よりも大きい、
前記暗領域の輝度値の平均値が、プリセット平均値よりも小さい、
前記明領域の輝度値の平均値と、前記暗領域の前記輝度値の平均値との間の差がプリセット差より大きい、
のうちの任意の１つの条件又は多数の条件の組み合わせを満たす。
【００７４】
前記チェックされる画像が前記逆光シナリオであると決定した後、前記チェックされる画像上で検証が実行され、黒い被写体が誤って逆光シナリオとみなされる場合を排除する。具体的な実施プロセスにおいて、前記チェックされる画像における前記暗領域内に含まれるピクセルの平均諧調度が、プリセット諧調度しきい値より大きい場合、前記チェックされる画像は、前記逆光シナリオであると決定され、前記チェックされる画像における前記暗領域内に含まれるピクセルの平均諧調度が、前記プリセット諧調度しきい値より小さい場合、撮影された被写体は、黒い被写体であり、前記チェックされる画像は、非逆光シナリオである。前記プリセット諧調度しきい値の具体的な値は、経験に従ってセットされ得る。この実施形態において、前記プリセット諧調度しきい値は、4であり、この実施形態の図４における前記暗領域に含まれているピクセルの前記平均諧調度は、6.13であり、前記プリセット諧調度しきい値よりも大きい。これは、前記チェックされる画像における撮影された被写体は、豊富な質感(rich texture)を備えており、黒い被写体ではなく、前記チェックされる画像は、前記逆光シナリオであることを示している。
【００７５】
図５Ａは、本発明による逆光検出方法の実施形態２における非逆光シナリオの概略図１であり、図５Ｂは、本発明による逆光検出方法の実施形態２における非逆光シナリオの概略図である。図５Ａに示されているように、チェックされる画像における撮影された被写体は、黒い被写体であり、図５Ｂは、前記チェックされる画像の明領域及び暗領域を示している。図５Ｂにおける前記暗領域に含まれているピクセルの平均諧調度が計算され、0.988であり、前記プリセット諧調度しきい値より小さい。これは、前記チェックされる画像におけるその撮影された被写体が、豊富な質感を有していない、黒い被写体であることを示している。図５Ｂに従って得られた結論は、図５Ａに示したものと一致している。
【００７６】
本発明の実施形態において、逆光シナリオ上で検証が実行される。大量の黒い被写体を備えたシナリオが誤って逆光シナリオであると識別された場合を排除可能となるように、暗領域内に含まれているピクセルの平均諧調度が計算され、逆光検出の精度が改善され得る。
【００７７】
結論として、撮影された被写体の逆光度が著しく変動する場合に、前記暗領域を決定するための正確な輝度しきい値をセットする必要なしに、逆光シナリオ検出の精度を改善可能な本発明の実施形態により提供される逆光検出方法に従って、チェックされる画像における暗領域及び明領域が隣接画像ブロック間の輝度関係に従って決定される。位置、場所、形状、などの撮影された被写体が大きく変化する場合に、逆光シナリオ検出の精度を改善可能に、前記暗領域および前記明領域に従って、前記チェックされる画像が逆光シナリオかどうか決定される。前記逆光シナリオは、検証され、大量の黒い被写体を備えたシナリオが誤って前記逆光シナリオであると識別される場合を排除可能であり、また逆光検出の精度を改善可能である。
【００７８】
図６は、本発明に従う逆光検出デバイスの実施形態１の概略図を示している。この実施形態により提供される前記逆光検出デバイスは、携帯電話、カメラ、ビデオカメラ、又は画像レンズを備えたコンピュータなどといった端末デバイスであってよい。チェックされる画像は、レンズを使用することにより取得され、本発明の実施形態により提供されるとともに図６に示されている前記逆光検出デバイスのモジュールを使用することにより、前記チェックされる画像が逆光シナリオであるかどうかが検出される。図６に示されているように、本発明の実施形態により提供される前記逆光検出デバイスは、取得モジュール601、決定モジュール602、及び処理モジュール603を具備している。
【００７９】
前記取得モジュール601は、チェックされる画像における各画像ブロックの輝度値を取得するように構成されている。
【００８０】
前記決定モジュール602は、各画像ブロックの前記輝度値に従って、前記隣接画像ブロック間の輝度関係を決定するように構成されている。
【００８１】
前記処理モジュール603は、前記隣接画像ブロック間の前記輝度関係に従って、前記チェックされる画像における暗領域及び明領域を決定するとともに、前記暗領域および前記明領域に従って、前記チェックされる画像が逆光シナリオかどうかを決定するように構成されている。
【００８２】
この実施形態に従う前記逆光検出デバイスは、図１に示されている方法の実施形態の技術的なソリューションの実行に使用されてもよく、実施原則（implementation principles）及び前記逆光検出デバイスの技術的効果は図１に示されている方法の実施形態のそれらと類似しており、ここでは再び説明することはしない。
【００８３】
さらに、前記チェックされる画像は、Ｍ行N列の画像ブロックを含んでおり、ＭとＮは、双方とも正の整数である。前記決定モジュール602は、
輝度値差と第１プリセット輝度しきい値との間の大小関係にしたがって、前記チェックされる画像の各行における任意の２つの隣接画像ブロック間の輝度関係を決定し、前記輝度値差は、前記チェックされる画像の各行における前記任意の２つの隣接画像ブロック間の差である、及び／又は
輝度値差と第１プリセット輝度しきい値との間の大小関係に従って、前記チェックされる画像の各列における任意の２つの隣接画像ブロック間の輝度関係を決定し、前記輝度値差は、前記チェックされる画像の各列における前記任意の２つの隣接画像ブロック間の差である、
ように特に構成されている。
【００８４】
さらに、前記決定モジュール602は、
前記任意の２つの隣接画像ブロック間の前記輝度値差が前記第１プリセット輝度しきい値より大きければ、前記任意の２つの隣接画像ブロックの一方の画像ブロックのその輝度は前記他方の画像ブロックの輝度より大きいと決定し、又は、
前記任意の２つの隣接画像ブロック間の前記輝度値差の絶対値が前記第１プリセット輝度しきい値以下であれば、前記任意の２つの隣接画像ブロックは、同じ輝度を有していると決定する
ように特に構成されている。
【００８５】
さらに、前記第１プリセット輝度しきい値は、前記チェックされる画像における前記任意の２つの隣接画像ブロック間の前記輝度値差のすべての絶対値の平均値である。
【００８６】
さらに、前記処理モジュール603は、
前記任意の２つの隣接画像ブロックの一方の画像ブロックの前記輝度が、前記他方の画像ブロックの前記輝度より小さく、かつ、小さい輝度値側の前記画像ブロックの輝度値が、第２プリセット輝度しきい値より小さいならば、前記小さい輝度値側の前記画像ブロックは、前記暗領域であると決定し、
if 前記任意の２つの隣接画像ブロックの一方の画像ブロックの前記輝度が、前記他方の画像ブロックの前記輝度より小さく、かつ、前記小さい輝度値側の前記画像ブロックの前記輝度値が、前記第２プリセット輝度しきい値以上であれば、前記小さい輝度値側の前記画像ブロックは、明暗遷移領域であると決定し、
前記任意の２つの隣接画像ブロックの一方の画像ブロックの前記輝度が、前記他方の画像ブロックの前記輝度より大きく、かつ、大きい輝度値側の前記画像ブロックの輝度値が、第３プリセット輝度しきい値より大きければ、前記大きい輝度値側の前記画像ブロックは、前記明領域であると決定し、
前記任意の２つの隣接画像ブロックの一方の画像ブロックの前記輝度が、前記他方の画像ブロックの前記輝度より大きく、かつ、前記大きい輝度値側の前記画像ブロックの前記輝度値が、前記第３プリセット輝度値以下であるならば、前記大きい輝度値側の前記画像ブロックは、前記明暗遷移領域であると決定する
ように特に構成されている。
【００８７】
さらに、前記決定モジュール602は、
前記チェックされる画像の各行における最初の画像ブロックから最後の画像ブロックまでのシーケンスにおける各行内の前記任意の２つの隣接画像ブロック間の前記輝度値差を取得するか、又は、前記チェックされる画像の各行における最後の画像ブロックから最初の画像ブロックまでのシーケンスにおける各行内の前記任意の２つの隣接画像ブロック間の前記輝度値差を取得し、
前記チェックされる画像の各列における最初の画像ブロックから最後の画像ブロックまでのシーケンスにおける各列内の前記任意の２つの隣接画像ブロック間の前記輝度値差を取得するか、又は、前記チェックされる画像の各列における最後の画像ブロックから最初の画像ブロックまでのシーケンスにおける各列内の前記任意の２つの隣接画像ブロック間の前記輝度値差を取得する
ようにさらに構成されている。
【００８８】
さらに、前記処理モジュール603は、
各行又は各列における前記最初の画像ブロックから前記最後の画像ブロックまでの前記シーケンスと、各行又は各列における前記最後の画像ブロックから前記最初の画像ブロックまでの前記シーケンスの双方において、前記画像ブロックが前記明領域又は前記暗領域であると決定されたならば、各行又は各列における任意の画像ブロックに対し、前記画像ブロックを前記明領域又は前記暗領域と決定するか、又は、
前記画像ブロックが一方のシーケンスにおいて前記明領域であり、他方のシーケンスにおける前記暗領域であると決定されたならば、各行又は各列における任意の画像ブロックに対し、前記画像ブロックは前記明暗遷移領域であると決定し、前記一方のシーケンス及び前記他方のシーケンスは、各行又は各列における前記最初の画像ブロックから前記最後の画像ブロックまでの前記シーケンスと、各行又は各列における前記最後の画像ブロックから前記最初の画像ブロックまでの前記シーケンスである、又は、
前記画像ブロックが一方のシーケンスにおいて前記暗領域又は前記明領域であり、他方のシーケンスにおいて前記明暗遷移領域であると決定されたならば、各行又は各列における任意の画像ブロックに対し、前記画像ブロックは、前記暗領域又は前記明領域であると決定し、前記一方のシーケンス及び前記他方のシーケンスは、各行又は各列における前記最初の画像ブロックから前記最後の画像ブロックまでの前記シーケンスと、各行又は各列における前記最後の画像ブロックから前記最初の画像ブロックまでの前記シーケンスである
ようにさらに構成されている。
【００８９】
さらに、前記処理モジュール603は、
前記チェックされる画像における前記暗領域および前記明領域がプリセット明暗関係に合致するならば、その前記チェックされる画像は前記逆光シナリオであると決定し、前記プリセット明暗関係は、以下の条件：
前記暗領域の全領域と前記チェックされる画像の領域との比がプリセット比より大きい、
前記暗領域の輝度値の平均値が、プリセット平均値より小さい、
前記明領域の輝度値の平均値と、前記暗領域の前記輝度値の前記平均値との間の差が、プリセット差より大きい、
の任意の１つの条件又は多数の条件の組み合わせに合しするように特に構成されている。
【００９０】
さらに前記処理モジュール603は、
前記チェックされる画像における前記暗領域内に含まれているピクセルの平均諧調度がプリセット諧調度しきい値より大きいならば、前記チェックされる画像は、前記逆光シナリオであると決定され、
前記チェックされる画像における前記暗領域内に含まれているピクセルの前記平均諧調度が、前記プリセット諧調度しきい値より小さいならば、その前記チェックされる画像は、非逆光シナリオであると決定される
前記逆光シナリオの検証を実行するようにさらに構成されている。
【００９１】
この実施形態に従う前記逆光検出デバイスは、図２に示されている方法の実施形態の技術的ソリューションを実行するために使用してもよく、実施原則及び、前記逆光検出デバイスの技術的効果は図２に示されている方法の実施形態のそれらと類似するため、ここでは再度説明することはしない。
【００９２】
図７は、本発明に従う逆光検出デバイスの実施形態２の概略図を示している。この実施形態により提供される前記逆光検出デバイスは、携帯電話、カメラ、ビデオカメラ、又は画像レンズを備えたコンピュータといった端末デバイスであって良い。チェックされる画像は、前記レンズを使用することにより獲得され得、図７に示されるとともに本発明の実施形態により提供される前記逆光検出デバイスの一部を使用することにより、前記チェックされる画像が逆光シナリオであるかどうか検出される。図７に示されているように、この実施形態により提供される逆光検出デバイス70は、プロセッサ701とメモリ702とを備えている。前記逆光検出デバイス70は、さらにレンズ703を備え、前記レンズ703は、前記プロセッサ701に接続されている。前記プロセッサ701は、前記レンズ７０３を使用することにより、チェックされる画像を取得し得、前記チェックされる画像を画像ブロックに分割し、各画像ブロックの輝度値を計算により取得する。前記メモリ702は、実行命令を格納する。前記逆光検出デバイス70が動作すると、前記プロセッサ701は、前記メモリ702と通信し、前記プロセッサ701は、前記メモリ702内の前記実行命令を起動し、以下の動作を実行する：
チェックされる画像における各画像ブロックの輝度値を取得し、
各画像ブロックの前記輝度値に従って、前記隣接画像ブロック間の輝度関係を決定し、
前記隣接画像ブロック間の前記輝度関係に従って前記チェックされる画像における暗領域及び明領域を決定するとともに、前記暗領域および前記明領域に従って、前記チェックされる画像が逆光シナリオであるかどうかを決定する。
【００９３】
さらに、前記チェックされる画像は、Ｍ行Ｎ列の画像ブロックを具備し、ＭとＮの双方とも正の整数である。各画像ブロックの前記輝度値に従って、前記隣接画像ブロック間の輝度関係を決定することは：
輝度値差と第１プリセット輝度しきい値との間の大小関係に従って、前記チェックされる画像の各行における間任意の２つの隣接画像ブロックの輝度関係を決定することであって、前記輝度値差は、前記チェックされる画像の各行における前記任意の２つの隣接画像ブロック間の差であり、及び／又は
輝度値差と第１プリセット輝度しきい値との間の大小関係に従って、前記チェックされる画像の各列における任意の２つの隣接画像ブロック間の輝度関係を決定することであって、前記輝度値差は、前記チェックされる画像の各列における前記任意の２つの隣接画像ブロック間の差である
ことを含む。
【００９４】
さらに、前述の輝度値差と第１プリセット輝度しきい値との間の大小関係に従って、任意の２つの隣接画像ブロック間の輝度関係を決定することであって、前記輝度値差は、前記任意の２つの隣接画像ブロック間の差であることは：
前記任意の２つの隣接画像ブロック間の前記輝度値差が前記第１プリセット輝度しきい値より大きいならば、前記任意の２つの隣接画像ブロックの一方の画像ブロックのその輝度は、前記他方の画像ブロックの輝度より大きいと決定すること、又は、
前記任意の２つの隣接画像ブロック間の前記輝度値差の絶対値が、前記第１プリセット輝度しきい値以下であるならば、その前記任意の２つの隣接画像ブロックは、同じ輝度を有していると決定することを含む。
【００９５】
さらに、前記第１プリセット輝度しきい値は、前記チェックされる画像における前記任意の２つの隣接画像ブロック間の前記輝度値差のすべての絶対値の平均値である。
【００９６】
さらに、前述の前記隣接画像ブロック間の前記輝度関係に従って前記チェックされる画像における暗領域及び明領域を決定することは：
前記任意の２つの隣接画像ブロックの一方の画像ブロックの前記輝度が、前記他方の画像ブロックの前記輝度より小さく、かつ、小さい方の輝度値を備えた前記画像ブロック輝度値が第２プリセット輝度しきい値より小さいならば、前記小さい輝度値側の前記画像ブロックは、前記暗領域であると決定され、
前記任意の２つの隣接画像ブロックの一方の画像ブロックの前記輝度が、前記他方の画像ブロックの前記輝度より小さく、かつ、前記小さい輝度値側の前記画像ブロックの前記輝度値が、前記第２プリセット輝度しきい値以上であるならば、前記小さい輝度値側の前記画像ブロックは、明暗遷移領域であると決定され、
前記任意の２つの隣接画像ブロックの一方の画像ブロックの前記輝度が、前記他方の画像ブロックの前記輝度より大きく、かつ、大きい方の輝度値を備えた前記画像ブロックの輝度値が第３プリセット輝度しきい値より大きいならば、前記大きい輝度値側の前記画像ブロックは、前記明領域であると決定され、
前記任意の２つの隣接画像ブロックの一方の画像ブロックの前記輝度が、前記他方の画像ブロックの前記輝度よりおおきく、かつ、前記大きい輝度値側の前記画像ブロックの前記輝度値が、前記第３プリセット輝度値以下であるならば、前記大きい輝度値側の前記画像ブロックは、前記明暗遷移領域であると決定されることを含む。
【００９７】
さらに、輝度値差が、前記チェックされる画像の各行における前記任意の２つの隣接画像ブロック間の差であり、前記輝度値差と第１プリセット輝度しきい値との間の大小関係に従って、前記チェックされる画像の各行における任意の２つの隣接画像ブロック間の輝度関係を決定する前に、前記動作は：
前記チェックされる画像の各行における最初の画像ブロックから最後の画像ブロックまでのシーケンスにおける各行内の前記任意の２つの隣接画像ブロック間の前記輝度値差を取得するか、又は、前記チェックされる画像の各行における最後の画像ブロックから最初の画像ブロックまでのシーケンスにおける各行内の前記任意の２つの隣接画像ブロック間の前記輝度値差を取得することをさらに含み、
輝度値差が、前記チェックされる画像の各列における前記任意の２つの隣接画像ブロック間の差であり、前記輝度値差と第１プリセット輝度しきい値との間の大小関係に従って、前記チェックされる画像の各列における任意の２つの隣接画像ブロック間の輝度関係を決定する前に、前記動作は：
前記チェックされる画像の各列における最初の画像ブロックから最後の画像ブロックまでのシーケンスにおける各列内の前記任意の２つの隣接画像ブロック間の前記輝度値差を取得するか、又は、前記チェックされる画像の各列における最後の画像ブロックから最初の画像ブロックまでのシーケンスにおける各列内の前記任意の２つの隣接画像ブロック間の前記輝度値差を取得することをさらに含む。
【００９８】
さらに、前述の前記隣接画像ブロック間の前記輝度関係に従って、前記チェックされる画像における暗領域及び明領域を決定することは：
各行又は各列における前記最初の画像ブロックから前記最後の画像ブロックまでの前記シーケンスと、各行又は各列における前記最後の画像ブロックから前記最初の画像ブロックまでの前記シーケンスの双方において、前記画像ブロックが前記明領域又は前記暗領域と決定されるならば、各行又は各列における任意の画像ブロックに対し、前記画像ブロックを前記明領域又は前記暗領域と決定すること、又は、
一方のシーケンスにおいて前記画像ブロックが前記明領域であり、他方のシーケンスにおいて前記暗領域であると決定されるならば、各行又は各列における任意の画像ブロックに対し、前記画像ブロックを前記明暗遷移領域と決定することであって、前記一方のシーケンス及び前記他方のシーケンスは、各行又は各列における前記最初の画像ブロックから前記最後の画像ブロックまでの前記シーケンスと、各行又は各列における前記最後の画像ブロックから前記最初の画像ブロックまでの前記シーケンスであり、又は、
一方のシーケンスにおいて前記画像ブロックが前記暗領域又は前記明領域であり、他方のシーケンスにおいて前記明暗遷移領域であると決定されるならば、各行又は各列における任意の画像ブロックに対し、前記画像ブロックを前記暗領域又は前記明領域であると決定することであって、前記一方のシーケンス及び前記他方のシーケンスは、各行又は各列における前記最初の画像ブロックから前記最後の画像ブロックまでの前記シーケンスと、各行又は各列における前記最後の画像ブロックから前記最初の画像ブロックまでの前記シーケンスであることをさらに含む。
【００９９】
さらに、前記暗領域および前記明領域に従って、前記チェックされる画像が逆光シナリオであるかどうかを決定することは：
前記チェックされる画像における前記暗領域および前記明領域がプリセット明暗関係に合致するならば、前記チェックされる画像は、前記逆光シナリオであると決定することを含み、前記プリセット明暗関係は、以下の条件：
前記暗領域の全領域と前記チェックされる画像の領域との比がプリセット比より大きい、
前記暗領域の輝度値の平均値が、プリセット平均値より小さい、
前記明領域の輝度値の平均値と、前記暗領域の前記輝度値の前記平均値との間の差が、プリセット差より大きい、
の任意の１つの条件又は多数の条件の組み合わせに合致する。
【０１００】
さらに、前記暗領域および前記明領域に従って、前記チェックされる画像が逆光シナリオであるかどうかを決定することの後に、動作は：
前記チェックされる画像の前記暗領域内に含まれているピクセルの平均諧調度が、プリセット諧調度しきい値より大きいならば、前記チェックされる画像は、前記逆光シナリオであると決定され、前記チェックされる画像における前記暗領域内に含まれているピクセルの前記平均諧調度が、前記プリセット諧調度しきい値より小さいならば、前記チェックされる画像は、非逆光シナリオであると決定される、前記逆光シナリオの検証を実行することをさらに含む。
【０１０１】
この実施形態に従う前記逆光検出デバイスは、先の方法の実施形態の技術的ソリューションを実行するために使用されてもよく、前記逆光検出デバイスの実施原則と技術的効果は先の方法の実施形態のそれらと類似しているため、ここでは再び説明することはしない。
【０１０２】
本願において提供されるいくつかの実施形態では、開示されているデバイス及び方法は、他の方法で実施してもよい。例えば、開示されている装置の実施形態は、単なる例示である。例えば、ユニット又はモジュールの区分は単に論理的機能区分であり、実際の実施において他の区分であってもよい。例えば、複数のユニット又はモジュールは、組み合わせ又は他のシステムに組み込まれてもよく、また、いくつかの特徴は、無視又は実行されなくてもよい。加えて、表示又は説明された相互又は直接カップリング又は通信接続は、いくつかのインターフェースを通じて実装され得る。デバイス間又はモジュール間の前記間接的カップリング又は通信接続は、電気的、機械的、又は他の形式で実装されてもよい。
【０１０３】
別個の部分として説明されるモジュールは、物理的に分離していなくてもよく、モジュールとして表示された部分は、物理的なモジュールであってもなくてもよく、ある位置に配置され、複数のネットワークユニットで配信される。いくつかの、又はすべてのモジュールは、実際の必要性に従って選択され、前記実施形態の目的のソリューションを達成する。
【０１０４】
当業者であれば、すべて又はいくつかの方法の実施形態のステップは、関連するハードウェアのプログラム命令により実施されてもよい。前記プログラムは、コンピュータ読み取り可能な記録媒体に格納されてよい。前記プログラムが実行されると、前記方法の実施形態のステップが実行される。先の格納媒体は、ＲＯＭ、ＲＡＭ、磁気ディスク、又は光ディスクといったプログラムコードを格納可能な任意のメディアを含む。
【０１０５】
最後に、前述の実施形態は本発明の技術的ソリューションを説明するためにのものであり、本発明を限定する意図を有しない。本発明は、先述の実施形態を参照して詳細に説明されているが、当業者であれば、本発明の実施形態の技術ソリューションのスコープを逸脱することなく、先述の実施形態において説明された技術的ソリューションを修正したり、いくつかの又はすべての技術的特徴を有する等価な代替物を作成したりすることが可能であることは理解し得る。
【符号の説明】
【０１０６】
６０１    取得モジュール
６０２    決定モジュール
６０３    処理モジュール
７０      逆光検出デバイス
７０１    プロセッサ
７０２    メモリ
７０３    レンズ
【図１】
0005988119.tif 000008
【図２】
0005988119.tif 000009
【図３Ａ−４】
0005988119.tif 000010
【図５Ａ−５Ｂ】
0005988119.tif 000011
【図６】
0005988119.tif 000012
【図７】
0005988119.tif 000013